(57)【要約】      （修正有）【課題】保管や運搬などの際にコンパクトに折り畳むことが可能で、棺を構成する部材を回動させて組み立てが可能な段ボール製の棺を提供する。【解決手段】折り畳み式の段ボール製棺１ａは棺の長手方向に延びる一対の側壁１１と、側壁をつなぐ底板１２と、棺の妻部１３の第１板１４ａとを有し、第１板は、妻部の延在方向に延び、側壁の延在方向に延びる第２板１５と第３板１６とを備え、側壁は、底板に対して回動可能に構成され、第１板は、底板に対して回動可能な状態で底板に支持され、第２板及び第３板は、第１板の一方の面又は他方の面に回動可能な状態で第１板に支持され、第２板及び第３板を、第１板の一方の面又は他方の面に接近する方向に回動させ、第１板を底板に接近する方向に回動させ、かつ側壁を底板に接近する方向に回動させて、側壁と底板との間に第１板、第２板及び第３板を収納可能に構成した段ボール製棺。【選択図】図１
2020199083.tif 000002
【特許請求の範囲】
【請求項１】
折り畳み式の段ボール製棺であり、
当該段ボール製棺は、棺の長手方向に延びる一対の側壁と、
一対の側壁をつなぐ底板と、
棺の妻部に配される第１板とを有しており、
第１板は、妻部の延在方向に沿って延びており、側壁の延在方向に沿って延びる第２板と第３板とを備えており、
一対の側壁は、底板に対して接近する方向に対して回動可能に構成されており、
第１板は、底板に対して接近する方向に対して回動可能な状態で底板に支持されており、
第２板及び第３板は、第１板の一方の面又は他方の面に接近する方向に回動可能な状態で第１板に支持されており、
第２板及び第３板を、第１板の一方の面又は他方の面に接近する方向に回動させ、第１板を底板に接近する方向に回動させ、かつ側壁を底板に接近する方向に回動させて、
側壁と底板との間に第１板、第２板及び第３板を収納可能に構成した段ボール製棺。
【請求項２】
側壁における回動動作の中心は、底板から離隔して配置されており、
側壁は前記中心から延在しており、
底板に対して傾倒した側壁と底板との間に形成された空間に第１板、第２板及び第３板を収納可能に構成された請求項１に記載の段ボール製棺。
【請求項３】
側壁、第１板、第２板、又は第３板が回動する部分においては、棺を構成する段ボールに切れ込み部が設けられている請求項１又は２記載の段ボール製棺。
【請求項４】
妻部に配された第１板の外側には、外装材が固定されており、第１板は補強材として機能する請求項１ないし３のいずれかに記載の段ボール製棺。
【請求項５】
妻部に配された第１板は、妻部を塞ぐ外装材として機能する請求項１ないし３のいずれかに記載の段ボール製棺。
【請求項６】
棺を組み立てた状態において、第１板は棺の上方に延在し、第２板及び第３板は棺の長手方向に沿って延在し、
第２板及び側壁と第３板及び側壁とがそれぞれ、接続された構成である請求項１ないし５のいずれかに記載の段ボール製棺。
【発明の詳細な説明】
【技術分野】
【０００１】
本発明は、段ボール製の棺に関する。
【背景技術】
【０００２】
遺体を収める棺として、特許文献１に示したように、桐等の木材で構成されたものが古くから使用されている。最近では、木材に替えて、特許文献２のように、段ボールで構成した棺が提案されている。
【先行技術文献】
【特許文献】
【０００３】
【特許文献１】特開２００９−２８５１９２号公報
【特許文献２】実用新案登録第３１３５１２８号公報
【発明の概要】
【発明が解決しようとする課題】
【０００４】
特許文献１の棺は、妻部に差し込まれた板を引き抜き、側壁を棺の内側に折り畳むことにより、棺を保管したり運送したりする際にコンパクトにすることができる。妻部の板は、側壁に設けられたガイドに差し込むことにより、固定する。この構成は棺が木製であることを前提としており、段ボール製の棺において係る構成を採用すると、段ボールと段ボールの接点に隙間が形成されたり、ガイドの周辺にたわみが生じたりする可能性がある。このため、段ボール製の棺においては、このような構成を採用することは適当ではない可能性がある。
【０００５】
特許文献２の段ボール製の棺は、棺の妻部にコの字状の部材（符号４を付した部材）を配置するものである。特許文献１においては、コの字状の部材を、棺の外側に向けて展開することが記載されている。棺をこのように展開した状態では、棺を保管したり運搬したりする際に、棺の嵩が大きなってしまうという問題がある。
【０００６】
本発明は、保管や運搬などの際にはコンパクトに折り畳むことが可能であり、棺を構成する部材を回動させて組み立てたり折り畳んだりすることが可能な段ボール製の棺を提供することを目的とする。
【課題を解決するための手段】
【０００７】
折り畳み式の段ボール製棺であり、当該段ボール製棺は、棺の長手方向に延びる一対の側壁と、一対の側壁をつなぐ底板と、棺の妻部に配される第１板とを有しており、第１板は、妻部の延在方向に沿って延びており、側壁の延在方向に沿って延びる第２板と第３板とを備えており、一対の側壁は、底板に対して接近する方向に対して回動可能に構成されており、第１板は、底板に対して接近する方向に対して回動可能な状態で底板に支持されており、第２板及び第３板は、第１板の一方の面又は他方の面に接近する方向に回動可能な状態で第１板に支持されており、第２板及び第３板を、第１板の一方の面又は他方の面に接近する方向に回動させ、第１板を底板に接近する方向に回動させ、かつ側壁を底板に接近する方向に回動させて、側壁と底板との間に第１板、第２板及び第３板を収納可能に構成した段ボール製棺により、上記の課題を解決する。この棺では、第１板、第２板、第３板、及び側壁は、回動により、折り畳むことができるので、保管や運搬の際には、コンパクトに折り畳むことが可能であるし、段ボールと段ボールの継ぎ目が少なくなるので、隙間や歪みが生じにくくなる。
【０００８】
側壁における回動動作の中心は、底板から離隔して配置されており、側壁は前記中心から延在しており、底板に対して傾倒した側壁と底板との間に形成された空間に第１板、第２板及び第３板を収納可能に構成することが好ましい。側壁における回動動作の中心を底板から離隔した位置に設けることにより、側壁の途中から側壁を折りたたむことが可能になり、底板と側壁との間に、第１板、第２板、及び第３板を安定した状態で収納することができる。
【０００９】
上記の段ボール製棺において、側壁、第１板、第２板、又は第３板が回動する部分においては、棺を構成する段ボールに切れ込み部が設けられた構成とすることが好ましい。切れ込み部で段ボールを回動させる構成によれば、ヒンジなどの部材が不要になり、構成を簡素化できるし、回動部分の外観を隙間のない状態で美しく仕上げることができる。
【００１０】
上記の段ボール製棺において、妻部に配された第１板の外側には、外装材が固定されており、第１板は補強材として機能するようにするようにしてもよい。また、第１板が棺の外装に現れるようにして、妻部に配された第１板は、妻部を塞ぐ外装材として機能するようにしてもよい。
【００１１】
上記の段ボール製棺において、棺を組み立てた状態において、第１板は棺の上方に延在し、第２板及び第３板は棺の長手方向に沿って延在し、第２板及び側壁と第３板及び側壁とがそれぞれ、接続された構成とすることが好ましい。第２板又は第３板と側壁とを接続することにより、棺の剛性を向上させることができる。
【発明の効果】
【００１２】
本発明によれば、保管や運搬などの際にはコンパクトに折り畳むことが可能であり、棺を構成する部材を回動させて組み立てたり折り畳んだりすることが可能な段ボール製の棺を提供することができる。
【図面の簡単な説明】
【００１３】
【図１】第１実施形態に係る段ボール製棺の表面を分解した状態で示した展開図である。
【図２】図１の段ボール製棺の裏面を分解した状態で示した展開図である。
【図３】図１の段ボール製棺を組み立てる過程を示す斜視図である。
【図４】図１の段ボール製棺を組み立てる過程を示す斜視図であり、図３の後の工程を示すものである。
【図５】図１の段ボール製棺を組み立てた状態における棺本体を示す斜視図である。
【図６】図５の棺本体に蓋体を取り付けた状態を示す斜視図である。
【図７】図６のＡＡ部における断面図である。
【図８】第１実施形態に係る段ボール製棺を折り畳む様子を示す斜視図である。
【図９】第１実施形態に係る段ボール製棺を折り畳む様子を示す斜視図であり、図８の後の工程を示すものである。
【図１０】第１実施形態に係る段ボール製棺を折り畳む様子を示す斜視図であり、図９の後の工程を示すものである。
【図１１】第１実施形態に係る段ボール製棺を折り畳む様子を示す斜視図であり、図１０の後の工程を示すものである。
【図１２】図１１のＢＢ部における断面図である。
【図１３】第２実施形態に係る段ボール製棺の表面を分解した状態で示した展開図である。
【図１４】図１３の段ボール製棺の裏面を分解した状態で示した展開図である。
【図１５】図１３の段ボール製棺を組み立てる過程を示す斜視図である
【図１６】図１３の段ボール製棺を組み立てる過程を示す斜視図であり、図１５の後の工程を示すものである。
【図１７】図１３の段ボール製棺を組み立てる過程を示す斜視図であり、図１６の後の工程を示すものである。
【図１８】図１３の段ボール製棺を組み立てた状態における棺本体を示す斜視図である。
【図１９】図１８の棺本体に蓋体を取り付けた状態を示す斜視図である。
【図２０】図１９のＤＤ部における断面図である。
【図２１】組み立てた第１実施形態に係る段ボール製棺を折り畳む様子を示す斜視図である。
【図２２】第２実施形態に係る段ボール製棺を折り畳む様子を示す斜視図である。
【図２３】第２実施形態に係る段ボール製棺を折り畳む様子を示す斜視図であり、図２２の後の工程を示す斜視図である。
【図２４】図２３のＥＥ部における断面図である。
【図２５】第３実施形態に係る段ボール製棺を分解した状態を示す斜視図である。
【図２６】段ボール製棺を構成する段ボールに設けられた切れ込み部の一例を示す断面図である。
【図２７】段ボール製棺を構成する段ボールに設けられた切れ込み部の他例を示す断面図である。
【発明を実施するための形態】
【００１４】
以下、本発明の段ボール製棺の実施形態について、図面を参照して説明する。図１ないし図１２に、段ボール製棺の第１実施形態を示す。図１３ないし図２４に、段ボール製棺の第２実施形態を示す。図２５に段ボール製棺の第３実施形態を示す。
【００１５】
［第１実施形態］
本実施形態の段ボール製棺１ａ（以下、単に棺ということがある。）は、図１ないし図１２に示したように、棺１ａの長手方向に延びる一対の側壁１１と、一対の側壁１１をつなぐ底板１２と、棺１ａの妻部１３とを有する。側壁１１は、棺１ａの長手方向に沿って延在しており、棺１ａを組み立てた状態において棺１ａの上方に向かって延在する。底板１２は、前記一対の側壁１１をつなぐ。本実施形態の棺１ａでは一対の側壁１１と底板１２とは、組み立てた状態においては、断面がコの字状の形状となる。そして、妻部１３は、四角形状の開口部となる。
【００１６】
妻部１３に配される開口部には、図５に示したように、妻部１３の延在方向、すなわち棺１ａの短手方向に沿って第１板１４ａが配される。第１板１４ａは、棺１ａを組み立てた状態において、棺の上方に延在する形状である。第１板１４ａは、図５に示したように、棺１ａを組み立てた状態において、側壁１１の延在方向に沿って延びる第２板１５と棺１ａの長手方向に沿って延びる第３板１６とを備えている。
【００１７】
本実施形態の棺１ａでは、第１板１４ａの左右の両端部には、第２板１５及び第３板１６が配されており、第１板１４ａの下端部には、底板１２と第１板１４ａとを固定するための固定部として、固定板１７ａが配されている。第１板１４ａと固定板１７ａとは、例えば、図７に示したように、連通孔１７１を第１板１４ａと固定板１７ａとに設けて、ダボなどの固定具（図示略）を連通孔１７１に挿入することによって、固定することができる。また、第１板１４ａと固定板１７ａとは、例えば、接着剤、若しくは粘着剤などの接合剤、螺子、ダボとダボ穴などの連結具などによって固定したりすることができる。
【００１８】
図８及び図９に示したように、第１板１４ａは、底板１２に対して接近する方向に回動可能な状態で底板１２により支持されている。支持するというときは、固定板１７ａを底板１２に対して固定することにより、支持された状態を含むものとし、後述の第２実施形態のように底板と第１板を一体に構成することにより、第１板を底板で支持した状態を含むものとする。なお、図８においては、説明の便宜のため、第１板１４ａを底板１２から分離した状態を示したが、実際に組み立て又は折り畳む作業を行う際には、第１板１４ａは底板１２に支持された状態で行う（図３、図４、図９、図２５においても同様である。）。図５に示したように、棺１ａを組み立てた状態においては、第１板１４ａは、棺１ａの上方に向かって延在する状態となっている。図９に示したように、棺１ａを折りたたむ際には、棺１ａの第１板１４ａを底板１２に接近する方向に対して回動させることにより、折り畳むことができようになっている。棺１ａでは、第１板１４ａが底板１２に接面するまで回動することができる。
【００１９】
図１及び図４の第２板１５の形状の比較と図１、図８及び図９の第２板１５の形状の比較とからわかるように、第２板１５は、第１板１４ａの一方の面又は他方の面に接近する方向に回動可能な状態で第１板１４ａに支持されている。同様に第３板１６は、第１板１４ａの一方の面又は他方の面に接近する方向に回動可能な状態で第１板に支持されている。図５に示したように、棺１ａを組み立てた状態においては、第２板１５又は第３板１６は、棺１ａの長手方向に沿って延在する状態となっている。棺１ａを折りたたむ際には、図８及び図９に示したように、第１板１４ａの他方の面に接近する方向に回動させることにより、折り畳むことができる。棺１ａでは、第２板１５又は第３板１６が第１板１４ａの他方の面に接するまで、回動することができる。図９の例では、第２板１５又は第３板１６を第１板の他方の面に接するまで回動させる構成としたが、第２板１５又は第３板１６を第１板の一方の面に接するまで回動させる構成としてもよい。なお、図１の例では、第１板１４ａの一方の面は、第１板の表面に相当し、第２板の他方の面は、第１板１４ａの裏面に相当する。表面は、図１に示したように、棺を展開した状態において、棺の上方を向く面のことをいう。
【００２０】
図９ないし図１１における側壁１１の形状の違いからわかるように、一対の側壁１１も底板１２に対して接近する方向に対して回動させることができる。このため、第２板１５及び第３板１６を、第１板１４ａの一方の面又は他方の面に接近する方向に回動させ、第１板１４ａを底板１２に接近する方向に回動させ、かつ側壁１１を底板１２に接近する方向に回動させることで、図１１及び図１２に示したように、側壁１１と底板１２との間に第１板１４ａ、第２板１５及び第３板１６を収納することができる。これによって、棺１ａを保管したり、運搬したりする際に、棺１ａをコンパクトに折り畳むことが可能になる。
【００２１】
本実施形態の棺１ａでは、第１板１４ａの一方の面が底板１２に対して接近する方向に回動し、第２板１５及び第３板１６が第１板１４ａの他方の面に接近するように回動する。このため、第２板１５や第３板１６が底板１２などの他の部材に干渉しにくくなるため、折り畳みやすい形状となっている。そして、第２板１５及び第３板１６を折り畳んだ状態で第１板を平面から見た際には、第１板１４ａの縁から第２板１５及び第３板が突出しない形状になっているため、折りたたむ際に、第２板１５及び第３板１６が側壁１１などの他の部材に干渉しにくくなっている。
【００２２】
図１に示したように、第１板１４ａと第２板１５とは、切れ込み部１８ａによって、区画された形状となっている。同様に、第１板１４ａと第３板１６も、切れ込み部１８ａによって、区画された形状となっている。図２に示したように、第１板１４ａと固定板１７ａも、切れ込み部１８ａによって区画された形状となっている。第１板１４ａと第２板１５とを区画する切れ込み部１８ａ、及び第１板１４ａと第３板１６とを区画する切れ込み部１８ａは、図１に示したように、第１板の一方の面に設けられる。一方、第１板１４ａと固定板１７ａとを区画する切れ込み部１８ａについては、図２に示したように他方の面に設けられる。
【００２３】
本実施形態の棺１ａを構成する段ボール１９は、図２６に示したように、第１ライナー１９１と、第１波状部１９２と、第２波状部１９３と、第２ライナー１９４と、第１波状部１９２と第２波状部１９３とを隔てる隔壁層１９５とを有する。本実施形態の棺１ａでは、段ボールを折り曲げて回動させやすくするために、第２ライナー１９４を残して、第１ライナー１９１、第１波状部１９２、隔壁層１９５、及び第２波状部１９３が切除されている。これにより、第２ライナー１９４側に段ボールを折り曲げる際には、第２ライナーと第２ライナーとが接するまで折り曲げることが可能になる。棺を構成する段ボールは、単層でも複層でもよいが、溝を切り入れる側とは反対側のライナーを残すように溝を切ることが好ましい。なお、図２６の例では、第１ライナー１９１、第２ライナー１９４、及び隔離層１９５は、板状の紙から構成される。第１波状体１９２及び第２波状体１９３は、紙を波状に繰り返し曲げた形状を有する。
【００２４】
切れ込み部１８ａは、図２４に示したように、例えば、棺を構成する段ボールを断面がＶ字状の溝が線状に構成されるようにして構成してもよい。また、切れ込み部１８ｂは、図２５に示すようにＩ字状の溝が線状に構成されるように構成してもよい。Ｖ字状の溝の場合は、最大で２７０度程度の回動範囲が得られる。Ｉ字状の溝では、最大で１８０度程度の回動範囲が得られる。第１板１４ａと第２板１５との間、及び第１板１４ａと第３板１６との間にＶ字状の切れ込み部１８ａを配置することによって、第２板１５及び第３板１６が棺１ａの長手方向に延在した状態で位置が定まりやすくなる。これによって、棺１ａの組み立て作業を効率化することができるし、棺１ａの剛性を高めることができる。
【００２５】
本実施形態の棺１ａでは、側壁の下端部における側壁１１と底板１２との境界部分に切れ込み部１８ａが棺の長手方向に沿って設けられている。切れ込み部は、棺１ａの内側の面、すなわち一方の面に設けられる。図１のように側壁１１が展開された状態から、側壁１１を起こして、側壁１１が上方に延在するように折り曲げやすいように構成されている。側壁１１と底板１２との境界部分にもＶ字状の切れ込み部を設ければ、側壁１１が上方に延在した状態で位置決めを行うことができるので好ましい。
【００２６】
本実施形態の棺１ａでは、図１２に示したように、側壁１１が底板１２に対して接近する方向に対して回動する動作の中心Ｃは、底板から離隔して配置されている。図１２の例では、回動動作の中心Ｃは、底板１２と傾倒した側壁１１との間に第１板１４ａ、第２板１５、第３板１６、及び後述する外装材２０を収納するに足りる長さＨとされている。これにより、無理のない状態で、傾倒した側壁１１と底板１２との間に、第１板１４ａ、第２板１５、及び第３板１６を収納することができるようになっている。Ｈは、例えば、１０〜３００ｍｍ又は１０〜２００ｍｍの範囲とすることができる。なお、回動中心Ｃは、切れ込み部１８ａを設ける位置により、決定することができる。本実施形態の棺１ａでは、棺１ａの内側、すなわち側壁の一方の面に、回動動作の中心Ｃを規定する切れ込み部１８ａを棺１ａの長手方向に沿って設けている。
【００２７】
本実施形態の棺１ａでは、図１０に示したように、傾倒した側壁１１と底板１２との間に、後述する外装材２０を収納できるように構成されている。すなわち、一方の妻部に配される第１板１４ａと他方の妻部に配される第１板１４ａとの間には、妻部から取り外した外装材２０を収納する空間部２１が設けられている。なお、本実施形態の棺１ａでは、蓋体２２は、図１０及び図１１に示したように、傾倒させた一対の側壁１１の上に重ねた状態で保管又は運送等を行うことができるようになっている。
【００２８】
本実施形態の棺１ａでは、図５に示したように、棺１ａを組み立てた状態において、第２板１５の他方の面及び一方の側壁１１の内面と、第３板の他方の面及び他方の側壁１１の内面とが接続されている。第２板１５又は第３板１６は、棺１ａを組み立てた状態において、側壁１１が内側に倒れ込むことを防止する。第２板１５又は第３板１６と側壁１１との接続は、接着剤、粘着剤、ダボ、螺子、ステープルなどの適宜の手段で接続することができる。
【００２９】
本実施形態の棺１ａでは、図４及び図５に示したように、第１板１４ａの外側には、外装材２０として、突枠２０１の内側に、段ボール板２０２を嵌めたものが固定されている。段ボール板２０２は、棺１ａの表側になる部分には、化粧シートを貼着してもよい。化粧シートには、例えば、木目調の模様、任意の色彩などが施されたものを使用することができる。本実施形態の棺１ａでは、第１板１４ａは、妻部周辺の強度を高める補強材として機能する。第１板１４ａの外側には、上述の外装材２０が固定されるため、外装材２０によっても、棺１ａの剛性を高めることができる構成となっている。突枠２０１は、枠の縁部分に沿って、棺の長手方向に突出する突条を有する。
【００３０】
本実施形態の棺１ａでは、図５に示したように、外装材２０の突枠２０１の高さは、棺１ａの側壁１１の高さよりも大きく構成されている。このため、突枠２０１の内縁と側壁１１の上端との間には、隙間Ｔが形成されている。この隙間Ｔは、棺１ａの開口部を閉じる蓋体２２の端部を内側に嵌めることができる大きさに設定されている。このため、この隙間Ｔに蓋体２２の端部を嵌めることによって、蓋体２２を棺本体に対して安定して固定することができるようになっている。また、この構成によれば、側壁を構成する段ボールと、外装材の枠体と、蓋体の突枠とが重なり合うといったことがない。段ボールの重なり合う部分が少ないため、蓋体と棺本体との間に隙間が形成されにくくなり、棺の外観をすっきりと仕上げることができる。
【００３１】
棺１ａを作業員が把持して運搬させる際などには、妻部１３の周辺に大きな荷重がかかりやすい。本実施形態の棺１ａでは、妻部１３は、底板１２と固定板１７ａの二重構造とされており、また第１板１４ａと外装材２０との二重構造とされており、側壁１１と第２板１５又は第３板１６との二重構造とされている。これにより、妻部１３の周辺における棺の強度が向上するように構成されている。
【００３２】
妻部１３に設けられた第１板１４ａ、第２板１５、第３板１６、又は一対の側壁１１の端部などは、外装材２０によって覆い隠される。このため、段ボールを切断した端部や段ボールと段ボールの隙間などが棺の外観に現れにくい。本実施系の棺は、妻部における強度に優れるだけでなく、妻部における外観においても優れる。
【００３３】
本実施形態の棺では、側壁１１には、側壁１１を回動させるための切れ込み部１８ａが設けられている。妻部１３には、上述の通り、外装材２０が嵌められている。外装材２０の突枠２０１によって、側壁１１に切れ込み部１８ａを設けたことによる、棺の形状変化が抑えられるようになっている。また、妻部１３には、第１板１５及び第２板１６が、一対の側壁１１の内側に配置されている。これによっても側壁２２に切れ込み部１８ａを設けたことによる、棺の形状変化が抑えられるようになっている。
【００３４】
〔第２実施形態〕
図１３ないし図２４に段ボール製棺の第２実施形態を示す。以下では、第１実施形態の段ボール製棺１ａと比較して異なる部分について説明する。図１３ないし図２４において、第１実施形態の棺１ａと同様の構成については、図１ないし図１２で用いたのと同じ符号を使用する。
【００３５】
本実施形態の棺１ｂでは、第１板１４ｂが底板１２ｂと一体に構成されており、固定板１７ａを備えていない点で、第１実施形態に係る棺１ａとは異なる。第１板１４ｂは、棺１ａと同様の構成の第２板１５及び第３板１６を備えている。
【００３６】
本実施形態の棺１ｂの第１板１４ｂは、図１３及び図１４に示したように、底板１２ｂと連続している。第１板１４ｂと底板１２ｂとは、一枚の段ボールで構成されている。同様に、第１板１４ｂ、第２板１５、及び第３板１６も、連続する一枚の段ボールで構成されている。
【００３７】
図１３及び図１４に示されているように、第１板１４ｂは、底板１２ｂとの境界部分に切れ込み部１８ａを設けることにより区画される。切れ込み部１８ａは、棺１ａの場合と同様に第１板１４ｂの他方の面に設けられる。
【００３８】
切れ込み部１８ａは、溝を切り入れる側とは反対側に位置する第２ライナー１９４を残した状態とされている。このため、第１板１４ｂは、第１板１４ａと同様に、底板１２ｂに接面するまで回動させることができる。
【００３９】
本実施形態の棺１ｂは、第１板１４ｂ、第２板１５、及び第３板１６、一対の側壁１１の回動動作を利用して、図１３から図２４に示したように、第１実施形態の棺１ａと同様の要領で棺を組み立てたり、折りたたんだりすることができる。
【００４０】
本実施形態の棺１ｂでは、図２４に示したように、一対の側壁１１のうち、一方の側壁における底板１２ｂと側壁の回動中心Ｃとの距離Ｈ１と、他方の側壁における底板１２ｂと側壁の回動中心Ｃとの距離Ｈ２とが相違するように構成されている。具体的には、Ｈ１に比して、Ｈ２が小さくなるように構成されている。これにより、図２４に示したように、側壁１１を底板１２ｂに対して回動させた際に、傾倒させた側壁１１が、略水平方向になるように、折りたたむことが可能になっている。保管時等において、側壁を略水平とした状態とすることができるので、折りたたんだ棺を重ねた際に、棺を破損しにくくすることができる。
【００４１】
〔第３実施形態〕
図２５に段ボール製棺の第３実施形態を示す。以下では、第１実施形態の段ボール製棺１ａと比較して異なる部分について説明する。図２５において、第１実施形態の棺１ａと同様の構成については、図１ないし図１２で用いたのと同じ符号を使用する。
【００４２】
本実施形態の棺１ｃでは、図２５に示したように、外装材２０を有しておらず、第１板１４ａが妻部に設けられた開口部を塞ぐ外装材として機能する。第１板１４ａの外装面側には、上述の化粧シートや布などを積層してもよい。
【００４３】
本実施形態の棺１ｃでは、図２５に示したように突枠２２１を有する蓋体２２ｃを備える。蓋体２２ｃの突枠２２１の内側に、棺本体の上端部を嵌めることで、蓋体２２ｃを棺本体に対して安定した状態で取り付けることができるようになっている。蓋体は、板状として、裏面に面ファスナーを設ける構成としてもよい。蓋体に設けた面ファスナーに係合する面ファスナーを棺本体に設けることによって、蓋体を棺本体に対して固定することができる。
【００４４】
上記の第１実施形態から第３実施形態の棺では、側壁と底面によって、棺の本体の断面が角形に形成される。棺本体の形状はこれに限定されない。例えば、棺の断面が楕円や円形になるようにしてもよいし、棺を上方から見た形状が円形、５角形若しくは６角形などの多角形になるようにしてもよい。
【００４５】
上記の第１実施形態から第３実施形態の棺では、第１板は妻部の開口部を塞ぐ方形状とした。第１板の形状はこれに限定されない。例えば、第１板は、円形などでもよいし、開口部の大きさよりも小さい形状であってもよい。同様に第２板、第３板、又は個体板の形状も上記の実施形態のものに限定されず、例えば、楕円形上の板などでもよい。
【００４６】
上記の第１実施形態及び第２実施形態の棺では、妻部に配される外装材は、突枠を有するものとした。外装材の形状はこれに限定されない。例えば、外装材は、突枠を有しない段ボール板であってもよいし、布などで構成してもよい。
【００４７】
上記の第１実施形態の棺では、固定部は、平面視において、棺の短手方向に長手方向が位置する長方形状とした。固定部の形状は、これに限定されず、第１板を底板に対して固定できるものであればよい。固定部としては、例えば、台形状、楕円形状、又は円弧状などの板状にすることができる。
【符号の説明】
【００４８】
１ａ    段ボール製棺
１１    側壁
１３    妻部
１４ａ  第１板
１４ｂ  第１板
１５    第２板
１６    第３板
１２    底板
１２ｂ  底板
１８ａ  切れ込み部
１８ｂ  切れ込み部
【図１】
2020199083.tif 000003
【図２】
2020199083.tif 000004
【図３】
2020199083.tif 000005
【図４】
2020199083.tif 000006
【図５】
2020199083.tif 000007
【図６】
2020199083.tif 000008
【図７】
2020199083.tif 000009
【図８】
2020199083.tif 000010
【図９】
2020199083.tif 000011
【図１０】
2020199083.tif 000012
【図１１】
2020199083.tif 000013
【図１２】
2020199083.tif 000014
【図１３】
2020199083.tif 000015
【図１４】
2020199083.tif 000016
【図１５】
2020199083.tif 000017
【図１６】
2020199083.tif 000018
【図１７】
2020199083.tif 000019
【図１８】
2020199083.tif 000020
【図１９】
2020199083.tif 000021
【図２０】
2020199083.tif 000022
【図２１】
2020199083.tif 000023
【図２２】
2020199083.tif 000024
【図２３】
2020199083.tif 000025
【図２４】
2020199083.tif 000026
【図２５】
2020199083.tif 000027
【図２６】
2020199083.tif 000028
【図２７】
2020199083.tif 000029